(57)【要約】【課題】建物の給気口部分の寸法に拘わらずにフィルタを簡単に取り付け可能にしフィルタ設置の施工期間を短縮できかつメンテナンス性を向上できるフィルタ取り付け構造及びフィルタ取り付け方法を提供する。また、ダクト方式によらずに２種類のフィルタを取り付けることのできるようにする。更に、フィルタ取り付け構造に適用可能であるフィルタユニット及び多面体ユニットを提供する。【解決手段】このフィルタ取り付け構造は、１次フィルタ１４を着脱自在に取り付け可能なフィルタケースをユニット化したフィルタユニット１２を建物の給気口部２の寸法に応じた個数だけ給気口部を包囲するように取り付け、更に複数の２次フィルタ２０を各面に着脱自在に取り付け可能な多面体をフィルタユニットと適合するようにユニット化した多面体ユニット１３をフィルタユニットに取り付ける構造とする。【選択図】　図１
2004008985.tif 000002
【特許請求の範囲】
【請求項１】
フィルタを着脱自在に取り付け可能なユニット化されたフィルタユニットを建物の給気口部の寸法に応じた個数だけ前記給気口部を包囲するように取り付ける構造としたことを特徴とするフィルタ取り付け構造。
【請求項２】
前記フィルタユニットは前記フィルタを前記フィルタユニットの側面に対しスライドして差し込みかつ引き抜くことができるように収容することを特徴とする請求項１に記載のフィルタ取り付け構造。
【請求項３】
前記個数のフィルタユニット全体に対応する寸法のフレーム部材を前記給気口部を包囲するように前記建物の取付面に取り付け、前記フレームに前記フィルタユニットを取り付けることを特徴とする請求項１または２に記載のフィルタ取り付け構造。
【請求項４】
前記取付面と前記フレーム部材との間に嵩上げ部材を配置し、前記嵩上げ部材に前記フレーム部材を取り付けることを特徴とする請求項３に記載のフィルタ取り付け構造。
【請求項５】
複数の前記フィルタユニットを重ねて複数段にしたことを特徴とする請求項１乃至４のいずれか１項に記載のフィルタ取り付け構造。
【請求項６】
複数のフィルタを各面に着脱自在に取り付け可能な多面体を前記フィルタユニットと適合するようにユニット化した多面体ユニットを前記フィルタユニットに取り付けることを特徴とする請求項１乃至５のいずれか１項に記載のフィルタ取り付け構造。
【請求項７】
前記フィルタユニットに比較的粗い塵埃を捕集する１次フィルタを取り付け、前記多面体ユニットに比較的細かい塵埃を捕集する２次フィルタを取り付けることを特徴とする請求項６に記載のフィルタ取り付け構造。
【請求項８】
前記フィルタユニットをサイズを変えて複数用意し、前記複数のフィルタユニットを前記給気口部の寸法に応じて適宜組み合わせることを特徴とする請求項１乃至５のいずれか１項に記載のフィルタ取り付け構造。
【請求項９】
前記フィルタユニット及び前記多面体ユニットをサイズを変えて複数それぞれ用意し、前記複数のフィルタユニット及び前記複数の多面体ユニットを前記給気口部の寸法に応じて適宜組み合わせることを特徴とする請求項６または７に記載のフィルタ取り付け構造。
【請求項１０】
複数のフィルタを各面に着脱自在に取り付け可能な多面体をユニット化した多面体ユニットを建物の給気口部の寸法に応じた個数だけ前記給気口部を包囲するように取り付ける構造としたことを特徴とするフィルタ取り付け構造。
【請求項１１】
前記個数の多面体ユニットの一面全体に対応する寸法のフレーム部材を前記給気口部を包囲するように前記建物の取付面に取り付け、前記フレーム部材に前記多面体ユニットを取り付けることを特徴とする請求項１０に記載のフィルタ取り付け構造。
【請求項１２】
前記取付面と前記フレーム部材との間に嵩上げ部材を配置し、前記嵩上げ部材に前記フレーム部材を取り付けることを特徴とする請求項１１に記載のフィルタ取り付け構造。
【請求項１３】
前記多面体ユニットの各面に前記フィルタを必要個数だけ取り付け、前記フィルタを取り付けない面には盲部材を取り付けることを特徴とする請求項５乃至１２のいずれか１項に記載のフィルタ取り付け構造。
【請求項１４】
前記多面体ユニットは、前記フィルタを前記各面と略平行方向にスライドして差し込みかつ引き抜くことができるように収容するフィルタケースを取り付け可能になっていることを特徴とする請求項６乃至１１３のいずれか１項に記載のフィルタ取り付け構造。
【請求項１５】
前記多面体ユニットは直方体の６面体であることを特徴とする請求項６乃至１４のいずれか１項に記載のフィルタ取り付け構造。
【請求項１６】
前記多面体ユニットは立方体の６面体であることを特徴とする請求項６乃至１５のいずれか１項に記載のフィルタ取り付け構造。
【請求項１７】
建物の給気口部を包囲するようにフレーム部材を前記建物の取付面に取り付ける工程と、
フィルタを着脱自在に取り付け可能なユニット化されたフィルタユニットを前記フレーム部材の寸法に応じた個数だけ前記フレーム部材に取り付ける工程と、を含むことを特徴とするフィルタ取り付け方法。
【請求項１８】
建物の給気口部を包囲するように嵩上げ部材を前記建物の取付面に取り付ける工程と、
前記嵩上げ部材にフレーム部材を取り付ける工程と、
フィルタを着脱自在に取り付け可能なユニット化されたフィルタユニットを前記フレーム部材の寸法に応じた個数だけ前記フレーム部材に取り付ける工程と、を含むことを特徴とするフィルタ取り付け方法。
【請求項１９】
複数のフィルタを各面に着脱自在に取り付け可能でありかつ前記フィルタユニットと適合するようにユニット化した多面体ユニットを前記フレーム部材に取り付ける工程を更に含むことを特徴とする請求項１７または１８に記載のフィルタ取り付け方法。
【請求項２０】
建物の給気口部を包囲するようにフレーム部材を前記建物の取付面に取り付ける工程と、
複数のフィルタを各面に着脱自在に取り付け可能な多面体をユニット化した多面体ユニットを前記フレーム部材に取り付ける工程と、を含むことを特徴とするフィルタ取り付け方法。
【請求項２１】
請求項１乃至１６のいずれか１項に記載のフィルタ取り付け構造における前記フィルタユニットに適用可能であることを特徴とするフィルタユニット。
【請求項２２】
請求項６，７，９乃至１６のいずれか１項に記載のフィルタ取り付け構造における前記多面体ユニットに適用可能であることを特徴とする多面体ユニット。
【発明の詳細な説明】
【０００１】
【発明の属する技術分野】
本発明は、建物の給気口にフィルタを取り付けるためのフィルタ取り付け構造、フィルタ取り付け方法、フィルタユニット及び多面体ユニットに関する。
【０００２】
【従来の技術】
従来、建物の外部給気口部分にフィルタを設置する場合に、空気の流入口は建物の条件によって寸法が異なるため、フィルタ及びその取り付け枠等は受注製作品となっていた。即ち、建物の建築現場において寸法をとり、フィルタ及び取り付け枠等の図面を作成し、製作し、建築現場で施工し取り付ける。この場合、粗い塵埃用の１次フィルタだけを取り付けるときは、給気口部分に直接取り付けており、細かい塵埃用の２次フィルタをも設置するときは、ダクト方式が一般的である。
【０００３】
しかし、上述のような受注製作は、納期までにある程度の期間が必要となり、建築の施工日程に影響を与え、施工期間を長びかせてしまうことは避けられない。また、フィルタを給気口部分に直接取り付ける構造であると、メンテナンス時の交換に手間がかかりメンテナンスに要する期間が長びいてしまい、また、２次フィルタを取り付けることが一般に困難である。また、ダクト方式による場合はダクトの配管施工が必要となってしまい、また、ダクト内に取り付けたフィルタをメンテナンス時に交換するのに手間がかかりメンテナンスに要する期間が長びいてしまう。
【０００４】
【発明が解決しようとする課題】
本発明は、上述のような従来技術の問題に鑑み、建物の給気口部分の寸法に拘わらずにフィルタを簡単に取り付け可能にしフィルタ設置の施工期間を短縮できかつメンテナンス性を向上できるフィルタ取り付け構造及びフィルタ取り付け方法を提供することを目的とする。また、ダクト方式によらずに２種類のフィルタを取り付けることのできるフィルタ取り付け構造及びフィルタ取り付け方法を提供することを目的とする。更に、かかるフィルタ取り付け構造に適用可能なフィルタユニット及び多面体ユニットを提供することを目的とする。
【０００５】
【課題を解決するための手段】
上記目的を達成するために、本発明によるフィルタ取り付け構造は、フィルタを着脱自在に取り付け可能なユニット化されたフィルタユニットを建物の給気口部の寸法に応じた個数だけ前記給気口部を包囲するように取り付ける構造としたことを特徴とする。
【０００６】
このフィルタ取り付け構造によれば、フィルタユニットを給気口部を包囲することができる個数だけ取り付ければよいので、建物の給気口部分の寸法に拘わらずにフィルタを簡単に取り付けることができる。このようにユニット化されてサイズの決まったフィルタユニットは予め生産し多数用意しておくことができ、従来のように受注製作をしなくて済むので、建物にフィルタを設置する施工期間を短縮できる。また、フィルタはフィルタユニットに対し着脱自在であるので、組立性がよくなり、またメンテナンス性を向上できる。
【０００７】
上記フィルタ取り付け構造では、前記フィルタユニットは前記フィルタを前記フィルタユニットの側面に対しスライドして差し込みかつ引き抜くことができるように収容するように構成できる。これにより、簡単な構造で容易にフィルタを着脱できるので、組立性及びメンテナンス性がより向上する。また、上述のようにして取り付けられたフィルタユニット内部で高気密性を確保することができる。
【０００８】
また、前記個数のフィルタユニット全体に対応する寸法のフレーム部材を前記給気口部を包囲するように前記建物の取付面に取り付け、前記フレームに前記フィルタユニットを取り付けることで、フィルタユニットの取り付けが容易となる。
【０００９】
また、前記取付面と前記フレーム部材との間に嵩上げ部材を配置し、前記嵩上げ部材に前記フレーム部材を取り付けることにより、給気口部を包囲する際に、建物の取付面と給気口部の凹凸を調整することができる。
【００１０】
また、複数の前記フィルタユニットを重ねて複数段に構成するようにしてもよい。これにより、複数のフィルタを空気の流れる方向に多段に配置することができる。
【００１１】
また、複数のフィルタを各面に着脱自在に取り付け可能な多面体を前記フィルタユニットと適合するようにユニット化した多面体ユニットを前記フィルタユニットに取り付ける構造とすることで、ダクト方式によらずに２種類のフィルタを簡単な構造で取り付けることができる。フィルタは多面体に対し着脱自在であるので、組立性がよくなり、またメンテナンス性を向上できる。また、多面体ユニットに複数のフィルタを取り付けることができるので、流れる空気量をより多くすることができる。
【００１２】
例えば、前記フィルタユニットに比較的粗い塵埃を捕集する１次フィルタを取り付け、前記多面体ユニットに比較的細かい塵埃を捕集する２次フィルタを取り付けるようにできる。この場合、１次フィルタと同じ程度の面積の２次フィルタでは流れる空気量に不足が生じるが、多面体ユニットに複数の２次フィルタを取り付けることで、不足の空気量を補うことができる。
【００１３】
また、前記フィルタユニットをサイズを変えて複数用意し、前記複数のフィルタユニットを前記給気口部の寸法に応じて適宜組み合わせることにより、給気口部の寸法に合わせてより適したフィルタユニットを選択でき、フィルタユニットの組み合わせの自由度がより高くなる。
【００１４】
また、前記フィルタユニット及び前記多面体ユニットをサイズを変えて複数それぞれ用意し、前記複数のフィルタユニット及び前記複数の多面体ユニットを前記給気口部の寸法に応じて適宜組み合わせることにより、給気口部の寸法に合わせてより適したフィルタユニット及び多面体ユニットを選択でき、フィルタユニット及び多面体ユニットの組み合わせの自由度がより高くなる。
【００１５】
本発明による別のフィルタ取り付け構造は、複数のフィルタを各面に着脱自在に取り付け可能な多面体をユニット化した多面体ユニットを建物の給気口部の寸法に応じた個数だけ前記給気口部を包囲するように取り付ける構造としたことを特徴とする。
【００１６】
このフィルタ取り付け構造によれば、多面体ユニットをその（それらの）一面が給気口部を包囲することができる個数だけ取り付ければよいので、建物の給気口部分の寸法に拘わらずにフィルタを簡単に取り付けることができる。このようにユニット化されてサイズの決まった多面体ユニットは予め生産し多数用意しておくことができ、従来のように受注製作をしなくて済むので、建物にフィルタを設置する施工期間を短縮できる。また、フィルタは多面体ユニットに対し着脱自在であるので、組立性がよくなり、またメンテナンス性を向上できる。更に、多面体ユニットに複数のフィルタを取り付けることができるので、流れる空気量をより多くすることができる。
【００１７】
上記フィルタ取り付け構造では、前記個数の多面体ユニットの一面全体に対応する寸法のフレーム部材を前記給気口部を包囲するように前記建物の取付面に取り付け、前記フレーム部材に前記多面体ユニットを取り付けることで、多面体ユニットの取り付けが容易となる。
【００１８】
また、前記取付面と前記フレーム部材との間に嵩上げ部材を配置し、前記嵩上げ部材に前記フレーム部材を取り付けることにより、給気口部を包囲する際に、建物の取付面と給気口部の凹凸を調整することができる。
【００１９】
上述の各フィルタ取り付け構造では、前記多面体ユニットの各面に前記フィルタを必要個数だけ取り付け、前記フィルタを取り付けない面には盲部材を取り付けることで、フィルタの個数を選択でき、流れる空気量を必要に応じて変えることができる。なお、複数の多面体ユニットを取り付ける場合に、各多面体ユニットの各空間を連通するようにしてよいが、各空間を独立させるようにしてもよく、この場合、フィルタの全体の面積を連通させた場合よりも多く確保できる。
【００２０】
また、前記多面体ユニットは、前記フィルタを前記各面と略平行方向にスライドして差し込みかつ引き抜くことができるように収容するフィルタケースを取り付け可能に構成できる。これにより、簡単な構造で容易にフィルタを着脱できるので、組立性及びメンテナンス性がより向上する。また、上述のようにして取り付けられたユニット内部で高気密性を確保することができる。
【００２１】
また、前記多面体ユニットを直方体の６面体とすることができる。また、前記多面体ユニットを立方体の６面体とすることにより、各面が同一寸法の正四角形となり、サイズが同じ１種類のフィルタを用意するだけでよい。
【００２２】
本発明によるフィルタ取り付け方法は、建物の給気口部を包囲するようにフレーム部材を前記建物の取付面に取り付ける工程と、フィルタを着脱自在に取り付け可能なユニット化されたフィルタユニットを前記フレーム部材の寸法に応じた個数だけ前記フレーム部材に取り付ける工程と、を含むことを特徴とする。
【００２３】
このフィルタ取り付け方法によれば、フィルタユニットを給気口部を包囲することができる個数だけフレーム部材に取り付けるだけでよいので、建物の給気口部分の寸法に拘わらずにフィルタを簡単かつ容易に取り付けることができる。このようにユニット化されてサイズの決まったフィルタユニットは予め生産し多数用意しておくことができ、従来のように受注製作をしなくて済むので、建物にフィルタを設置する施工期間を短縮できる。また、フィルタはフィルタユニットに対し着脱自在であるので、組立性がよくなり、またメンテナンス性を向上できる。
【００２４】
また、前記取付面と前記フレーム部材との間に嵩上げ部材を配置し、前記嵩上げ部材に前記フレーム部材を取り付けるようにしてもよい。これにより、給気口部を包囲する際に、建物の取付面と給気口部の凹凸を調整することができる。
【００２５】
また、上述のフィルタ取り付け方法において、複数のフィルタを各面に着脱自在に取り付け可能でありかつ前記フィルタユニットと適合するようにユニット化した多面体ユニットを前記フレーム部材に取り付ける工程を更に含むことにより、ダクト方式によらずに２種類のフィルタを簡単に取り付けることができる。また、多面体ユニットを用いることで複数のフィルタを簡単に取り付けることができる
【００２６】
また、本発明による別のフィルタ取り付け方法は、建物の給気口部を包囲するようにフレーム部材を前記建物の取付面に取り付ける工程と、複数のフィルタを各面に着脱自在に取り付け可能な多面体をユニット化した多面体ユニットを前記フレーム部材に取り付ける工程と、を含むことを特徴とする。
【００２７】
このフィルタ取り付け方法によれば、多面体ユニットを給気口部を包囲することができる個数だけフレーム部材に取り付けるだけでよいので、建物の給気口部分の寸法に拘わらずにフィルタを簡単かつ容易に取り付けることができる。このようにユニット化されてサイズの決まった多面体ユニットは予め生産し多数用意しておくことができ、従来のように受注製作をしなくて済むので、建物にフィルタを設置する施工期間を短縮できる。また、フィルタは多面体ユニットに対し着脱自在であるので、組立性がよくなり、またメンテナンス性を向上できる。更に、多面体ユニットを用いることで複数のフィルタを簡単に取り付けることができる。
【００２８】
本発明によるフィルタユニットは、上述のフィルタ取り付け構造における前記フィルタユニットに適用可能であることを特徴とする。また、本発明による多面体ユニットは、上述のフィルタ取り付け構造における前記多面体ユニットに適用可能であることを特徴とする。これらのフィルタユニット及び／又は多面体ユニットは、組み合わせの自由度が高く各種の組み合わせが可能であり、自由に組み合わせの変更が可能であるため、給気口部の寸法や設計条件や室内条件等に応じて適宜組み合わせることにより、所望のフィルタ取り付け構造を容易に構成できる。
【００２９】
【発明の実施の形態】
以下、本発明による第１及び第２の実施の形態について図面を用いて説明する。　〈第１の実施の形態〉
【００３０】
図１は第１の実施の形態によるフィルタ取り付け構造を有するフィルタ組立体を示す分解斜視図であり、図２は図１のフレーム部材、フィルタユニット及び多面体ユニットの取り付け状態を示す右側面の断面図である。
【００３１】
第１の実施の形態によるフィルタ取り付け構造を有するフィルタ組立体１０は、図１、図２に示すように、建物の壁面１の開口に設けられ多数の飾り部材２ａの取り付けられた給気口２を通して建物の内部に除塵して空気を取り入れるものである。即ち、フィルタ組立体１０は、矩形状の給気口２の周囲に給気口２を包囲するように取り付けられたフレーム部材１１と、フレーム部材１１に取り付けられたフィルタユニット１２と、フィルタユニット１２に取り付けられた多面体ユニット１３と、から構成されている。
【００３２】
フィルタユニット１２は、正四角形枠状のフィルタケースから構成され、平板状に形成された１次フィルタ１４を差し込み可能にその一側面に形成された縦長の開口１２ａと、１次フィルタ１４をスライド可能に図１の上下端でガイドするための溝１５ａ、１５ｂと、を備える。
【００３３】
１次フィルタ１４は、フィルタユニット１２に対し開口１２ａから図１の方向ａに差し込むことで溝１５ａ、１５ｂをスライドして所定位置に収まり、給気口２から流入する空気中の比較的粗い塵埃を捕集するようになっている。また、１次フィルタ１４を方向ａの逆方向ａ’にスライドしながら引き抜くことでフィルタユニット１２から取り去ることができる。なお、フィルタユニット１２の取り付け方向を変えることで、開口１２ａの位置を上下左右のいずれにも変えることができ、フィルタ１４の出し入れを任意の位置で可能となる。
【００３４】
多面体ユニット１３は、図１のように、各面が正四角形状の６面体（正立方体）から構成され、枠状の各面にフィルタユニット１２，フィルタケース１６，１７及び盲板１８が取り付け可能になっている。即ち、図１において多面体ユニット１３の左側面がフィルタユニット１２に取り付けられ、上面にフィルタケース１６が取り付けられ、下面に盲板１８が取り付けられ、右側面にフィルタケース１６と同様のフィルタケース１７が取り付けられている。他の面には、説明の便宜上省略しているが、同様のフィルタケースまたは盲板が取り付けられている。
【００３５】
多面体ユニット１３のフィルタケース１６，１７は、２次フィルタ２０を収容する枠体１９をそれぞれ備え、枠体１９内には両端側に溝１９ａ、１９ｂが形成されており、２次フィルタ２０を溝１９ａ、１９ｂでガイドしながらスライド可能に差し込むことができまた引き抜くことができるようになっている。
【００３６】
フィルタケース１６に対し２次フィルタ２０を図１の多面体ユニット１３の上面に平行な方向ｂに差し込むことで枠体１９内の溝１９ａ，１９ｂ（図２）をスライドして所定位置に収め、方向ｂの逆方向ｂ’にスライドしながら引き抜くことでフィルタケース１６から取り去ることができる。同様に、フィルタケース１７に対し２次フィルタ２０を図１の多面体ユニット１３の側面に平行な方向ｃに差し込むことで枠体１９内の溝１９ａ，１９ｂをスライドして所定位置に収め、方向ｃの逆方向ｃ’にスライドしながら引き抜くことでフィルタケース１７から取り去ることができる。
【００３７】
多面体ユニット１３における２次フィルタ２０は、給気口２から流入しフィルタユニット１２の１次フィルタ１４を通過した空気中の比較的細かい塵埃を捕集するようになっている。このため、２次フィルタ２０を通過する空気量は、１次フィルタ１４に比べ少なくなるが、多面体ユニット１３の複数面に複数の２次フィルタ２０を取り付け可能であるので、かかる不足分の空気量を補うように適宜２次フィルタ２０を設けることができる。２次フィルタ２０を取り付けない面には盲板１８を取り付ける。
【００３８】
上述のように、フィルタ組立体１０は単数のフィルタユニット１２と単数の多面体ユニット１３とを含んで構成されているが、これは、給気口２の寸法がフィルタユニット１２の平面寸法とほぼ同じかまたは小さいからであり、フィルタユニット１２の平面寸法よりも大きい場合には、適宜フィルタユニット１２を増やすことで後述のようにフィルタ組立体を構成すればよい。
【００３９】
また、フィルタユニット１２及び多面体ユニット１３はユニット化しているので、予め多量に生産しておくことができ、建築現場での施工の準備に手間取らず、施工期間を短縮することができる。
【００４０】
また、１次フィルタ１４及び２次フィルタ２０は、粗さを公知の方法で適度に変えた不織布等から構成でき、フィルタ材料としては紙材料やポリエステル系材料等の各種材料を用いることができ、設置場所の室内条件等に応じて適宜選択できる。また、廃棄処分性を考慮して、土中の微生物により水と炭酸ガスに分解する特性を有する生分解性材料を用いてもよい。
【００４１】
次に、図１，図２のようなフィルタ取り付け構造を有するフィルタ組立体１０の組み立て工程について図３のフローチャートを参照して説明する。
【００４２】
まず、フレーム部材１１を給気口２の周囲に形成される壁面１の取付面１ａに給気口２を包囲するように公知のねじやアンカーボルト等で取り付ける（Ｓ０１）。なお、フレーム部材１１はフィルタユニット１２の寸法と適合するようにユニット化し生産しておくことができ、または、長尺状の部材を所定の長さに切断して組み立てることで簡単に製作できる。
【００４３】
次に、フレーム部材１１の図１の右面にフィルタユニット１２を公知のボルトナット等で取り付ける（Ｓ０２）。
【００４４】
次に、フィルタユニット１２の図１の右面に多面体ユニット１３をその左側面で公知のボルトナット等で取り付ける（Ｓ０３）。なお、この場合、多面体ユニット１３の所定の面には、それぞれフィルタケース１６，１７，盲板１８等が公知のボルトナット等で取り付けられている。
【００４５】
そして、１次フィルタ１４及び２次フィルタ２０をそれぞれスライドさせながら差し込む（Ｓ０４）。このようにしてフィルタ組立体１０を完成する。
【００４６】
以上のようなフィルタ組立体１０のフィルタ取り付け構造によれば、フレーム部材１１を給気口２を包囲するように取り付け、そのフレーム部材１１にフィルタユニット１２を必要な個数だけ取り付け、次に多面体ユニット１３を同じ個数だけ取り付けるだけで、建物の給気口部の寸法に拘わらずにフィルタを簡単かつ容易に取り付けることができる。このようにユニット化されてサイズの決まったフィルタユニット及び多面体ユニットは予め生産し多数用意しておくことができ、従来のように受注製作をしなくて済むので、建物にフィルタを設置する施工期間を短縮できる。
【００４７】
また、２種類のフィルタをダクト方式によらずに取り付けることは、従来まで困難であったのに対し、上述のフィルタ取り付け構造によれば、簡単に取り付けることができる。しかも、２次フィルタのように流入可能な空気量が少なくなる場合でも、複数の２次フィルタによりその面積を適宜増やすことができるので、不足する空気量を容易に補うことができる。
【００４８】
また、フィルタ１４、２０はフィルタユニット１２及び多面体ユニット１３に対し着脱自在であるので、組立性がよく、また、メンテナンス時に各フィルタを引き抜いて清掃したり新品と交換することが簡単にでき、また再度簡単に差し込むことができるので、メンテナンス性を向上できる。
【００４９】
〈第２の実施の形態〉
【００５０】
図４は第２の実施の形態によるフィルタ取り付け構造を有するフィルタ組立体を建物の内部側から見た斜視図であり、図５（Ａ）は図４の方向Ａから見た給気口の正面図、図５（Ｂ）は図４の方向Ｂから見たフィルタ組立体の背面図、図５（Ｃ）は図４の方向Ｃから見たフィルタ組立体の上面図、図５（Ｄ）は図４の方向Ｄから見たフィルタ組立体の左側面図であり、図６は図４，図５のフィルタ組立体の右側面の断面図である。
【００５１】
図４〜図６に示すように、第２の実施の形態によるフィルタ取り付け構造を有するフィルタ組立体４０は、建物の壁面１の開口に設けられ図１，図２よりもサイズの大きい矩形状の給気口３に取り付けられ、図５（Ａ）、図６の飾り部材３ａを多数有する給気口３を通して建物の内部に除塵して空気を取り入れるものであり、図１，図２に示すフィルタユニット１２及び多面体ユニット１３をそれぞれ複数取り付けることで構成される。
【００５２】
即ち、フィルタ組立体４０は、比較的サイズの大きい給気口３を包囲するようにその周囲に枠状の嵩上げ部材３０を取り付け、嵩上げ部材３０にフレーム部材３１を取り付けてから、図４，図５（Ｂ）、（Ｃ）、（Ｄ）のように、縦２段、横３段に複数のフィルタユニット１２を取り付け、更に、同じ個数だけ多面体ユニット１３ａ〜１３ｆを取り付けることで構成される。多面体ユニット１３ａ〜１３ｆは図１，図２の多面体ユニット１３と同じ構成である。なお、各部分の取付は、図１、図２と同様に、ねじ、アンカーボルト、ボルトナット等を用いて行うことができる。
【００５３】
各フィルタユニット１３には図１と同様の１次フィルタが着脱自在に取り付けられ、各多面体ユニット１３ａ〜１３ｆの各右面には図１と同様のフィルタケースに２次フィルタが着脱自在に取り付けられている。なお、各フィルタユニット１２を取り付けるときには、図１の開口１２ａをそれぞれフィルタ１４の出し入れ可能な位置にする。
【００５４】
多面体ユニット１３ａ〜１３ｆには、図４、図５（Ｃ）、（Ｄ）のように、各右面以外は図１と同様の盲板１８がそれぞれ取り付けられているが、それらの上面や下面や側面にも適宜取り付けたり、逆に、各右面のフィルタケースの一部を盲板１８に交換することで、必要な空気量を調整することができる。また、多面体ユニット１３ａ〜１３ｆが互いにそれぞれ接する面には盲板を配置せず、図６のように、多面体ユニット１３ａ〜１３ｆ内の各空間は連通している。
【００５５】
また、フレーム部材３１はフィルタユニット１１の寸法の整数倍の寸法でユニット化し生産しておくことができるが、長尺状の部材を所定の長さに切断して組み立てることで簡単に製作できる。嵩上げ部材３０も長尺状の部材を所定の長さに切断して組み立てることで簡単に製作できる。嵩上げ部材３０を取り付けることで、フレーム部材を３１を壁面１に直接取り付けると、壁面１と給気口３との間に凹凸が生じる場合に、この凹凸がなくなるように調整できる。特に、フィルタユニット１１が複数必要な程度に給気口３の寸法が大きく、かかる凹凸の調整が必要となる場合に便利である。
【００５６】
上述のように、フィルタ組立体４０は、２×３個のフィルタユニット１２と、同じく２×３個の多面体ユニット１３ａ〜１３ｆとを含んで構成されているが、これは、給気口３の寸法がフィルタユニット１２の平面寸法の縦方向で１倍以上２倍以下、横方向で２倍以上３倍以下であるためである。
【００５７】
以上のように、図４〜図６のフィルタ取り付け構造によれば、給気口の寸法に応じてフィルタユニットの個数を適宜増減し、給気口を包囲することができる個数だけ取り付ければよいので、建物の給気口部分の寸法に拘わらずにフィルタを簡単に取り付けることができる。また、ユニット化されてサイズの決まったフィルタユニット及び多面体ユニットは予め生産し多数用意しておくことができ、従来のように受注製作をしなくて済むので、建物の比較的サイズの大きな給気口にフィルタを設置する場合でも、その施工期間を短縮できる。また、フィルタはフィルタユニット及び多面体ユニットに対し着脱自在であるので、組立性がよく、またメンテナンス性を向上できる。
【００５８】
また、２種類のフィルタをダクト方式によらずに簡単に取り付けることができ、しかも、２次フィルタのように流入可能な空気量が少なくなる場合でも、複数の２次フィルタによりその面積を適宜増やすことができるので、不足する空気量を容易に補うことができる。
【００５９】
なお、図１，図２のフィルタ組立体１０及び図４〜図６のフィルタ組立体４０では、各部材と各ユニットとの間及び各ユニットの間は、それらの外周の合わせ面で密着した状態でボルトナット等で接続できるので、内部の気密性を高く保つことができる。また、更に高気密性を得るために必要に応じて各合わせ面にパッキン等を介在させてもよい。
【００６０】
また、図１，図２において多面体ユニット１３を省略し、また図４〜図６において多面体ユニット１３ａ〜１３ｆを省略することで、それぞれ簡略形のフィルタ組立体としてもよい。
【００６１】
次に、上述のようなフィルタ取り付け構造を有するフィルタ組立体１０及び４０を建物に取り付けた状態を図７を参照して説明する。図７は、地面９に構築された建物５の一部の縦断面図である。
【００６２】
図７に示すように、建物５の一階の内側の壁面１に設けられた給気口２にフィルタ組立体１０を取り付けており、外部から空気を給気口２を通して取り入れ、フィルタ組立体１０を通過することで、１次フィルタ１４で比較的大きな塵埃を除去し、２次フィルタ２０で比較的小さな塵埃を除去した空気を一階の部屋６に送ることができる。
【００６３】
また、建物５の三階の内側の壁面１に設けられた給気口２よりも大きな給気口３にフィルタ組立体４０を取り付けており、外部から空気を給気口３を通して取り入れ、フィルタ組立体４０を通過することで、上述と同様に除塵した空気を一階よりも多量に三階の部屋７に送ることができる。
【００６４】
また、三階の部屋７と８との間の壁の壁面８ａに設けられた給気口１２ａにも同様にしてフィルタ組立体１０（または４０）を適宜取り付けることができる。また、フィルタ組立体１０が図１，図２の多面体ユニット１３のない簡略形であっても、多面体ユニット１３を簡単に取り付けて追加できるので、例えば、三階の部屋８をよりクリーンな空気の必要な用途（食品加工室等）に変更する場合に容易に対応でき、好ましい。
【００６５】
以上のように本発明を実施の形態により説明したが、本発明はこれらに限定されるものではなく、本発明の技術的思想の範囲内で各種の変形が可能である。例えば、上述のフィルタユニット及び多面体ユニットの組み合わせは、ユニット化しているため自由に変更が可能であり組み合わせ自由度が高くなり、例えば、複数のフィルタユニット１２を重ねて複数段にしてもよく、複数種類または同一種類のフィルタを空気の流れる方向に多段に配置できる。
【００６６】
また、図１，図２においてフィルタユニット１２を省略してフレーム部材１１に多面体ユニット１３を取り付けてもよく、同様に、図４〜図６において各フィルタユニット１２を省略してフレーム部材３１に多面体ユニット１３ａ〜１３ｆを取り付けてもよい。これにより、２次フィルタのような比較的細かい塵埃を捕集するフィルタを複数取り付けることができるので、１次フィルタを省略しても、流れる空気量を確保できる。
【００６７】
また、図４，図５において、各多面体ユニット１３ａ〜１３ｆ内の各空間を連通するように構成したが、各空間を独立するように構成してもよく、これにより、各空間を連通させた場合よりもフィルタ面積を多く確保できる。また、複数の多面体ユニットの複数の空間の一部を連通させ他の一部に対し独立するように構成してもよい。
【００６８】
また、フィルタユニット及び多面体ユニットは、サイズの決まった１種類だけ用意するのではなく、何段階（例えば、大小の２種類や大中小の３種類）かにサイズを変えて複数種類を用意しておいてもよく、給気口の寸法に応じて、適宜選択でき、また適宜組み合わせることができるので、給気口の寸法に対しより適合したサイズのフィルタ組立体を構成することができる。
【００６９】
また、フィルタ組立体を取り付ける取付面は、建物の壁面に限定されず、例えば天井部分の天井面に設けてもよいことは勿論である。また、図４〜図６において壁面１とフレーム部材３１との間の嵩上げ部材３０を、不要な場合には、省略してもよい。
【００７０】
また、多面体ユニット１３は、立方体の６面体から構成することで各面が同一寸法の正四角形となりサイズが同じ１種類のフィルタを用意するだけでよいが、これに限定されず、直方体の６面体としてもよい。例えば、空気の流れる方向と平行な面、即ち、図１において、上面、下面、左側面、右側面を長方形状に構成してもよい。例えば、空気の流れる方向を短辺とする長方形とすることにより、フィルタ組立体を空気の流れる方向にコンパクトに構成できる。
【００７１】
【発明の効果】
本発明によれば、建物の給気口部分の寸法に拘わらずにフィルタを簡単に取り付け可能にしフィルタ設置の施工期間を短縮できかつメンテナンス性を向上できるフィルタ取り付け構造及びフィルタ取り付け方法を提供できる。また、ダクト方式によらずに２種類のフィルタを取り付けることのできるフィルタ取り付け構造及びフィルタ取り付け方法を提供できる。更に、かかるフィルタ取り付け構造に適用可能であるフィルタユニット及び多面体ユニットを提供できる。
【図面の簡単な説明】
【図１】第１の実施の形態によるフィルタ取り付け構造を有するフィルタ組立体を示す分解斜視図である。
【図２】図１のフレーム部材、フィルタユニット及び多面体ユニットの取り付け状態を示す右側面の断面図である。
【図３】図１，図２のフィルタ組立体の組立工程を説明するためのフローチャートである。
【図４】第２の実施の形態によるフィルタ取り付け構造を有するフィルタ組立体を建物の内部側から見た斜視図である。
【図５】図５（Ａ）は図４の方向Ａから見た給気口の正面図、図５（Ｂ）は図４の方向Ｂから見たフィルタ組立体の背面図、図５（Ｃ）は図４の方向Ｃから見たフィルタ組立体の上面図、図５（Ｄ）は図４の方向Ｄから見たフィルタ組立体の左側面図である。
【図６】図４，図５のフィルタ組立体の右側面の断面図である。
【図７】図１，図２のフィルタ組立体１０及び図４〜図６のフィルタ組立体４０を建物に取り付けた状態を示す建物の一部縦断面図である。
【符号の説明】
１　　　　　　建物の壁面（取付面）
２，３　　　　給気口
１０　　　　　　フィルタ組立体
１１　　　　　　フレーム部材
１２　　　　　　フィルタユニット
１３　　　　　　多面体ユニット
１４　　　　　　１次フィルタ
１６，１７　　　フィルタケース
１８　　　　　　盲板
２０　　　　　　２次フィルタ
４０　　　　　　フィルタ組立体
３０　　　　　　嵩上げ部材
３１　　　　　　フレーム部材
１３ａ〜１３ｆ　多面体ユニット
【図１】
2004008985.tif 000003
【図２】
2004008985.tif 000004
【図３】
2004008985.tif 000005
【図４】
2004008985.tif 000006
【図５】
2004008985.tif 000007
【図６】
2004008985.tif 000008
【図７】
2004008985.tif 000009